(57)【要約】      （修正有）【課題】建築物の天井側部材と床側部材との間の空間に物品を支持できる簡易に設置可能の物品支持装置並びに該装置のための物品支持具及び柱部材を提供する。【解決手段】建築物の天井側部材１０１と床側部材１０２との間に突っ張り立設可能の柱部材１と、これに着脱可能の物品支持具２、３とを含んでおり、柱部材１は長手方向に延びる複数本の縦溝１１１を有しており、物品支持具２，３は、一対の半割り部材２２、３２を含み、該各半割り部材は１又は２以上の爪部、該半割り部材を互いに連結するための連結部及び物品支持部を有しており、該物品支持具２、３は該両半割り部材の連結部が互いに隣り合うように該各半割り部材の爪部を柱部材の溝に嵌合係合させて該隣り合わせた両連結部を連結することで柱部材１の上下方向における任意の位置に連結固定される物品支持装置、並びに該物品支持装置用の物品支持具２、３及び柱部材１。【選択図】図１
2005110819.tif 000002
【特許請求の範囲】
【請求項１】
建築物の天井側部材と床側部材との間の空間に物品を支持するための物品支持装置であり、
長さ調節可能で、該建築物の天井側部材と床側部材との間に突っ張り立設可能の柱部材と、
該柱部材に着脱可能の物品支持具とを含んでおり、
前記柱部材は柱部材長手方向に延びる複数本の縦溝を有しており、
前記物品支持具は、一対の半割り部材を含んでおり、該各半割り部材は１又は２以上の爪部、該半割り部材を互いに連結するための連結部及び物品支持部を有しており、該物品支持具は該両半割り部材の連結部が互いに隣り合うように該各半割り部材の爪部を前記柱部材の縦溝に嵌合係合させて該隣り合わせた両連結部を連結することで前記柱部材の上下方向における任意の位置に連結固定されることを特徴とする物品支持装置。
【請求項２】
前記柱部材は横断面円形状の柱部材であり、前記複数本の縦溝は該柱部材の横断面において等中心角度間隔で放射状配列を呈するように設けられている請求項１記載の物品支持装置。
【請求項３】
前記物品支持具における各半割り部材の爪部は、前記柱部材の縦溝に嵌合係合可能に突条に延びる爪部である請求項１又は２記載の物品支持装置。
【請求項４】
建築物の天井側部材と床側部材との間の空間に物品を支持するための物品支持装置であって、長さ調節可能で、該建築物の天井側部材と床側部材との間に突っ張り立設可能で、柱部材長手方向に延びる複数本の縦溝を有している柱部材と、該柱部材に着脱可能の物品支持具とを含む物品支持装置のための該物品支持具であり、
一対の半割り部材を含んでおり、該各半割り部材は１又は２以上の爪部、該半割り部材を互いに連結するための連結部及び物品支持部を有しており、該両半割り部材の連結部が互いに隣り合うように該各半割り部材の爪部を前記柱部材の縦溝に嵌合係合させて該隣り合わせた両連結部を連結することで前記柱部材の上下方向における任意の位置に連結固定されることを特徴とする物品支持装置用の物品支持具。
【請求項５】
前記物品支持具における各半割り部材の爪部は、前記柱部材の縦溝に嵌合係合可能に突条に延びる爪部である請求項４記載の物品支持具。
【請求項６】
建築物の天井側部材と床側部材との間の空間に物品を支持するための物品支持装置であって、柱部材と、該柱部材に着脱可能の物品支持具とを含み、該物品支持具が一対の半割り部材を含み、該各半割り部材は１又は２以上の爪部、該半割り部材を互いに連結するための連結部及び物品支持部を有している物品支持具である物品支持装置のための該柱部材であり、
長さ調節可能で、前記建築物の天井側部材と床側部材との間に突っ張り立設可能であり、柱部材長手方向に延びる複数本の縦溝を有しており、前記物品支持具の両半割り部材の連結部が互いに隣り合うように該各半割り部材の爪部を該柱部材の縦溝に嵌合係合させて該隣り合わせた両連結部を連結することで該柱部材の上下方向における任意の位置に該物品支持具を連結固定させ得ることを特徴とする物品支持装置用の柱部材。
【請求項７】
前記柱部材は横断面円形状の柱部材であり、前記複数本の縦溝は該柱部材の横断面において等中心角度間隔で放射状配列を呈するように設けられている請求項６記載の柱部材。
【発明の詳細な説明】
【技術分野】
【０００１】
本発明は建築物の天井側部材と床側部材との間の空間に物品を支持するための物品支持装置並びに該物品支持装置用の物品支持具及び柱部材に関する。
【背景技術】
【０００２】
店舗等において建築物の天井側部材と床側部材との間の空間を利用して販売商品等を陳列したり、一般家庭等において天井側部材と床側部材との間の空間に置物を飾ったり、物品を収納しておく棚を設ける等の場合には、床側部材上に衝立状の物品支持装置を設置したり、天井側部材や床側部材に工事を加えて該両部材間に物品支持装置を設置したりしているのが実情である。
【発明の開示】
【発明が解決しようとする課題】
【０００３】
しかしながら、衝立状の物品支持装置は一般的に不安定であり、比較的安定な構造のものでは大型化、複雑化する等して高価につくし、大きい設置スペースを要する。天井側部材や床側部材に工事を加えて該両部材間に設置する物品支持装置は、安定的に物品を支持できるが、大がかりな工事を要するので、それだけ高価につくうえ、一旦設置したあとは簡単には設置場所等を変更できない。
【０００４】
そこで本発明は、建築物の天井側部材と床側部材との間の空間に物品を支持するための物品支持装置であって、簡単、安価に設置でき、設置の変更も容易であり、支持対象物品を安定的に支持できる物品支持装置を提供することを課題とする。
【０００５】
また、本発明は、かかる物品支持装置を実現できる物品支持装置用の物品支持具及び該物品支持具を取り付ける柱部材を提供することを課題とする。
【課題を解決するための手段】
【０００６】
前記課題を解決するため本発明は次の物品支持装置、物品支持具及び柱部材を提供する。
（１）物品支持装置
建築物の天井側部材と床側部材との間の空間に物品を支持するための物品支持装置であり、
長さ調節可能で、該建築物の天井側部材と床側部材との間に突っ張り立設可能の柱部材と、
該柱部材に着脱可能の物品支持具とを含んでおり、
前記柱部材は柱部材長手方向に延びる複数本の縦溝を有しており、
前記物品支持具は、一対の半割り部材を含んでおり、該各半割り部材は１又は２以上の爪部、該半割り部材を互いに連結するための連結部及び物品支持部を有しており、該物品支持具は該両半割り部材の連結部が互いに隣り合うように該各半割り部材の爪部を前記柱部材の縦溝に嵌合係合させて該隣り合わせた両連結部を連結することで前記柱部材の上下方向における任意の位置に連結固定される物品支持装置。
【０００７】
建築物の「天井側部材」とは、建築物室内の天井を構成している部材、天井側に位置する梁、天井に取り付けられた部材、建築物ベランダの庇や庇に取り付けられた部材等を指しており、建築物の「床側部材」とは、建築物室内の床を構成している部材、床に設けられた部材、建築物ベランダの床や床に設けられた部材、天井側部材の下方に位置する地面等を指している。
【０００８】
この物品支持装置は次のようにして組み立てることができる。
すなわち、柱部材を天井側部材と床側部材との間に立て、柱部材の上端部が天井側部材に、下端部が床側部材に当接するように長さ調節して該天井側部材と床側部材の間に突っ張らせて立設固定する。
【０００９】
このように立設した柱部材に物品支持具を取り付ける。その取付けは次のようにして行う。すなわち、物品支持具の一対の半割り部材の連結部が互いに隣り合うように該各半割り部材の爪部を前記柱部材の縦溝に嵌合係合させて該隣り合わせた両連結部を連結する。かくして該両半割り部材の爪部で、柱部材溝を介して、該柱部材を爪部が係合した両側部分から挟着するごとく抱きしめさせ、柱部材の上下方向における任意の位置に連結固定する。
【００１０】
このようにして建築物の天井側部材と床側部材との間の空間に物品支持装置を設置できる。その設置は、天井側部材や床側部材に特段の工事を施す必要無しに簡単、安価に行える。
また、物品支持具の柱部材への取付けに際しては、柱部材に巻きまわすバンドのようなものは使用しないので、物品支持具の柱部材への取付けは簡素になされ、見た目にもすっきりとしている。
【００１１】
また、一旦、柱部材に連結固定した物品支持具はそれらの相互連結部における連結状態を緩めるとか、二つの半割り部材に分解する等して、簡単に柱部材における位置を変更して連結固定しなおすこともできる。また、柱部材は、縮めて別の空間位置において立設しなおすことも容易に行える。これらにより、物品支持装置は簡単、容易に設置変更することができる。
【００１２】
このようにして組み立てた物品支持装置はその物品支持具を構成している半割り部材の物品支持部に直接物品を引っ掛ける等して支持させることができる。また、支持対象物品（例えば置物や販売商品を載置する棚部材）を、前記物品支持部に対応させて該物品に予め設けた係合部或いは連結部等を利用して、或いは前記物品支持部と支持対象物品とに対応させて作製されたアタッチメントを用いるなどして物品支持具に支持させることができる。
【００１３】
支持対象物品が例えば衣服を吊り下げる等のためのロッド状部材であるときには、本発明に係る物品支持装置を例えば二つ設置し、それらの物品支持具にロッド状部材をかけ渡すこともできる。
いずれにしても、柱部材は天井側部材及び床側部材間に長さ調節して突っ張り立設固定され、物品支持具はしっかりと柱部材に連結固定されるので、物品支持を安定的に行える。
【００１４】
半割り部材における物品支持部は任意の形態に形成しておくことができる。例えば、支持対象物品に応じて形成されていてもよく、複数種類の支持対象物品に共通の形態に形成されていてもよい。また、その形態は一定のものでもよい。一定の形態に形成されているときには、必要に応じ、前記のアタッチメント等を使用することができる。
【００１５】
該物品支持部は半割り部材の他の部分、例えば前記連結部を兼ねるように形成されていてもよい。また、各半割り部材の物品支持部は対をなすもう一つの半割り部材の物品支持部と協同して物品を支持してもよい。
【００１６】
物品支持具における一対の半割り部材の連結部の相互連結は、一方の連結部に設けたボルト通し孔に通したボルトを他方の連結部に設けたネジ孔に螺合させたり、両連結部に設けたボルト通し孔に貫通させたボルトにナットを螺合させてもよく、また、適当なクリップ手段などでも行うことができ、このように種々の連結手段を採用して行える。
【００１７】
前記柱部材の形態、例えば断面形状は特に制限はないが、代表例として横断面円形状である場合を挙げることができる。横断面円形状の柱部材の場合、前記縦溝が柱部材横断面において等中心角度間隔で放射状配列を呈するように設けられていることが望ましい。このように縦溝を設けておくことで、物品支持具を柱部材周面上に任意の方向に向けて連結固定でき、物品支持装置が使い易くなる。
【００１８】
物品支持具における各半割り部材の爪部は、柱部材の縦溝に嵌合係合可能に突条に延びる爪部であることが好ましい。このように長く延びた爪部は、これでもって柱部材溝を介して柱部材を爪部が係合した両側部分から強固に挟着するごとく抱きしめることができる。
【００１９】
（２）物品支持具
本発明に係る物品支持具は、前記物品支持装置のための物品支持具であり、次のものである。
建築物の天井側部材と床側部材との間の空間に物品を支持するための物品支持装置であって、長さ調節可能で、該建築物の天井側部材と床側部材との間に突っ張り立設可能で、柱部材長手方向に延びる複数本の縦溝を有している柱部材と、該柱部材に着脱可能の物品支持具とを含む物品支持装置のための該物品支持具であり、
一対の半割り部材を含んでおり、該各半割り部材は１又は２以上の爪部、該半割り部材を互いに連結するための連結部及び物品支持部を有しており、該両半割り部材の連結部が互いに隣り合うように該各半割り部材の爪部を前記柱部材の縦溝に嵌合係合させて該隣り合わせた両連結部を連結することで前記柱部材の上下方向における任意の位置に連結固定される物品支持装置用の物品支持具である。
【００２０】
この物品支持具における各半割り部材の爪部は、前記柱部材の縦溝に嵌合係合可能に突条に延びる爪部であることが好ましい。
【００２１】
（３）柱部材
本発明に係る柱部材は、前記物品支持装置のための柱部材であり、次のものである。
建築物の天井側部材と床側部材との間の空間に物品を支持するための物品支持装置であって、柱部材と、該柱部材に着脱可能の物品支持具とを含み、該物品支持具が一対の半割り部材を含み、該各半割り部材は１又は２以上の爪部、該半割り部材を互いに連結するための連結部及び物品支持部を有している物品支持具である物品支持装置のための該柱部材であり、
長さ調節可能で、前記建築物の天井側部材と床側部材との間に突っ張り立設可能であり、柱部材長手方向に延びる複数本の縦溝を有しており、前記物品支持具の両半割り部材の連結部が互いに隣り合うように該各半割り部材の爪部を該柱部材の縦溝に嵌合係合させて該隣り合わせた両連結部を連結することで該柱部材の上下方向における任意の位置に該物品支持具を連結固定させ得る物品支持装置用の柱部材。
【００２２】
この柱部材は、横断面形状が円形状で、前記複数本の縦溝が該柱部材の横断面において等中心角度間隔で放射状配列を呈するように設けられていることが好ましい。
【発明の効果】
【００２３】
以上説明したように本発明によると、建築物の天井側部材と床側部材との間の空間に物品を支持するための物品支持装置であって、簡単、安価に設置でき、設置の変更も容易であり、支持対象物品を安定的に支持できる物品支持装置を提供することができる。
【００２４】
また、本発明によると、かかる物品支持装置を実現できる物品支持装置用の物品支持具及び該物品支持具を取り付ける柱部材を提供することができる。
【発明を実施するための最良の形態】
【００２５】
以下本発明の実施の形態を図面を参照して説明する。
図１は本発明に係る物品支持装置の１例の側面図である。２種類の物品支持具２、３を一つずつ柱部材１に連結固定した例を示している。
【００２６】
図示の物品支持装置は柱部材１と物品支持具２、３とからなっている。柱部材１は、本発明に係る柱部材の１例であり、柱本体部１１とその上下端のそれぞれに設けられた伸縮部１２とからなっている。柱本体１１は、図３及び図４に示すように、横断面（柱部材中心軸線に垂直な断面）の形状が円形のものであり、周面に柱部材長手方向に延びる複数本の縦溝１１１が形成されている。
【００２７】
縦溝１１１は柱部材（ここではより正確には柱本体）の横断面において等中心角度間隔で放射状配列を呈するように形成されている。各縦溝１１１は断面形状がＵ字形状である。柱本体１１には縦溝１１１の他、各隣り合う縦溝１１１間の中央部にも縦溝１１１より浅い断面Ｕ字形状の縦溝１１１’が形成されている。
【００２８】
図２は柱部材１の下端の伸縮部１２の構造を断面で示している。図２に示すように、柱本体１１の下端部に閉塞部材１２１が嵌着固定されており、これに有底外筒部材１２２が固定されている。外筒部材１２２は開口端を下方に向けて底部で閉塞部材１２１に固設されている。外筒部材１２２に有底内筒部材１２３が嵌合されている。内筒部材１２３は開口端を上方に向けて上下動可能に外筒部材１２２に嵌合されており、底部が座部材１２４に固設されている。
【００２９】
座部材１２４には軸棒１２５が立設されており、該軸棒は内外の筒部材１２３、１２２及び閉塞部材１２１を貫通して柱本体１１内へ突出している。閉塞部材１２１には横方向に雌ネジ１２０が設けられており、これに柱本体１１を貫通したボルト１２６が螺合している。ボルト１２６にはハンドルＨが設けられている。
【００３０】
内外の筒部材１２２、１２３には、軸棒１２５に外嵌されたコイルバネ１２７が内蔵されている。座部材１２４をバネ１２７に抗して柱本体１１の方へ押圧することで内筒部材１２３を外筒部材１２２へ押し込んで柱部材１の長さを調節できる。
【００３１】
柱本体１１上端の伸縮部１２（図１参照）は、今説明した下側の伸縮部１２を上下逆向きにした点が異なるだけでその他の点は下側の伸縮部１２と同構成である。なお、伸縮部１２は上下に設ける必要はなく、上下のいずれかにだけ設けてもよい。
【００３２】
かかる柱部材１は次のようにして天井側部材１０１と床側部材１０２との間の空間に突っ張り立設固定することができる。すなわち、、図１に示すように、建築物の天井側部材１０１と床側部材１０２との間の空間に立て、上下の伸縮部１２を適宜伸縮させることで上下部材１０１、１０２間に突っ張らせる。次いで各伸縮部１２において、ボルト１２６をハンドルＨで回して押し込み、軸棒１２５に押し当て、伸縮部１２が伸縮できないようにする。
【００３３】
かくして柱部材１は部材１０１，１０２間の空間の所定位置に簡単に設置固定することができる。柱部材１の設置位置を変更したいときは、伸縮部１２においてハンドル操作によりボルト１２６を後退させ、次いで伸縮部１２を縮め、位置変更して前記と同様に上下部材１０１、１０２間の所望の位置に移設すればよい。かかる位置変更は簡単に行える。      
【００３４】
物品支持具２は、図３に示すように、一対の半割り部材２１、２２からなっている。一方の半割り部材２１の詳細は図５に示すとおりである。図５（Ａ）は半割り部材２１の片方の側面図、図５（Ｂ）は同部材の平面図、図５（Ｃ）は同部材の反対側の側面図である。他方の半割り部材２２の詳細は図６に示すとおりである。図６（Ａ）は他方の半割り部材２２の片方の側面図、図６（Ｂ）は同部材の平面図、図６（Ｃ）は同部材の反対側の側面図である。
【００３５】
半割り部材２１は一本の爪部２１１、連結部２１２及び物品支持部２１３を含んでいる。これらは一体的に形成されている。爪部２１１は前記柱部材１の縦溝１１１に丁度嵌合係合できるサイズの断面Ｕ字形状のものであり、縦溝１１１の所定長さにわたって該溝に係合するように突条に延びている。
【００３６】
連結部２１２はボルトを遊嵌させる上下二つの孔２１２ａとそれらの間に形成されたネジ孔２１２ｂを備えている。連結部２１２の柱本体１１に対向する内面２１２ｃは断面円弧形状に形成されており、該円弧の曲率半径は柱本体１１の外輪郭円の半径と同程度である。これにより、図３に示すように、爪部２１１を柱本体縦溝１１１に嵌合係合したとき、連結部内面２１２ｃが柱本体外周面に全面的に安定的に当接することができる。
【００３７】
他方の半割り部材２２は、図３及び図６に示すように、前記一方の半割り部材２１を上下逆向きにするとともに、部材２１における上下のボルト通し孔２１２ａ及び中央部ネジ孔２１２ｂに代えて上下二つのネジ孔２１２ｂ及びそれらの間のボルト通し孔２１２ａを設けたものであり、それ以外の点は部材２１と同じである。部材２１におけるものと実質上同じ機能を有する部分には部材２１と同じ参照符号を付してある。
【００３８】
なお、半割り部材２２における上下二つのネジ孔２１２ｂ及びそれらの間のボルト通し孔２１２ａは半割り部材２１の上下二つのボルト通し孔２１２ａ及びそれらの間のネジ孔２１２ｂにそれぞれ対応している。
【００３９】
物品支持具３は、図４に示すように、一対の半割り部材３１、３２からなっている。一方の半割り部材３１の詳細は図７に示すとおりである。図７（Ａ）は半割り部材３１の片方の側面図、図７（Ｂ）は同部材の平面図、図７（Ｃ）は同部材の反対側の側面図である。他方の半割り部材３２の詳細は図８に示すとおりである。図８（Ａ）は他方の半割り部材３２の片方の側面図、図８（Ｂ）は同部材の平面図、図８（Ｃ）は同部材の反対側の側面図である。
【００４０】
一方の半割り部材３１は、図７に示すとおり、より重量の大きいものを支持できるように、前記物品支持具２の一方の半割り部材２１を大型化したものである。さらに言えば、前記半割り部材２１を大型化し、柱本体１１に当接する内面２１２ｃにもう一本の突条型の爪部２１１’を追加し、ボルト通し孔２１２ａを３本とするとともにネジ孔２１２ｂを２本としたものである。その他の点は半割り部材２１と実質上同構造である。大型化した点を除けば半割り部材２１と実質上同じ機能を有する部分には部材２１と同じ参照符号を付してある。
【００４１】
他方の半割り部材３２についても、図８に示すとおり、前記物品支持具２の他方の半割り部材２２を大型化したものである。さらに言えば、前記半割り部材２２を大型化し、柱本体１１に当接する内面２１２ｃにもう一本の突条型の爪部２１１’を追加し、ボルト通し孔２１２ａを２本とするとともにネジ孔２１２ｂを３本としたものである。その他の点は半割り部材２２と実質上同構造である。大型化した点を除けば半割り部材２２と実質上同じ機能を有する部分には部材２２と同じ参照符号を付してある。
【００４２】
前記のように天井側部材１０１及び床側部材１０２間の空間に立設固定した柱部材１に物品支持具２、３を取り付けるのであるが、それは次のように行う。以下の説明において物品支持具３についての参照符号は括弧書きで示す。
【００４３】
物品支持具２（３）の一対の半割り部材２１、２２（３１、３２）の連結部２１２（２１２）が互いに隣り合うように該各半割り部材の爪部２１１（２１１、２１１’）を柱部材１の縦溝１１１に嵌合係合させて該隣り合わせた両連結部２１２（２１２）を連結する。その連結は、支持具２（３）のいずれにおいても、各半割り部材の連結部におけるボルト通し孔２１２ａ（２１２ａ）に通したボルトＢ（Ｂ’）を対応する他方の半割り部材の連結部のネジ孔２１２ｂ（２１２ｂ）に螺合緊締することで行う。
【００４４】
このようにして両半割り部材２１、２２（３１、３２）の爪部２１１（２１１、２１１’）で柱部材溝を介して該柱部材を爪部が係合した両側部分から挟着するごとく抱きしめさせる。かくして、物品支持具２（３）を図１に例示するように柱部材１の上下方向における任意の位置に連結固定する。
【００４５】
このようにして建築物の天井側部材１０１と床側部材１０２との間の空間の所望位置に物品支持装置を簡単、容易に設置できる。また、その設置は天井側部材１０１や床側部材１０２に特段の工事を施す必要無しに安価に行える。物品支持具２、３の柱部材１への取付けに際しては、柱部材に巻きまわすバンドのようなものは使用しないので、物品支持具２、３の柱部材１への取付けは簡素になされ、見た目にもすっきりとしている。
【００４６】
一旦、柱部材１に連結固定した物品支持具２（３）はそれらの相互連結部２１２（２１２）における連結状態を緩めるとか、二つの半割り部材に分解する等して、簡単に柱部材１における位置を変更して連結固定しなおすこともできる。また、前記のとおり、柱部材１を空間の別の位置へ簡単に移設することも可能である。これらにより、物品支持装置は簡単、容易に設置変更することができる。
【００４７】
このようにして組み立てた物品支持装置はその物品支持具２（３）を構成している半割り部材の物品支持部２１３（２１３）に直接物品を引っ掛ける等して支持させることもできるが、図１に示す例では、各物品支持具の一対の半割り部材の互いに突き合わされる物品支持部２１３（２１３）により提供される断面形状が略Ｔ字形状の縦溝２１４（２１４’）（図３、図４参照）に棚部材４１（４２）に設けた図示省略の断面略Ｔ字形状の部材を差し込むことで棚部材４１（４２）を支持させている。例えば棚部材４１には軽量の物品Ｗ１を、棚部材４２にはより重い物品Ｗ２を載置できる。
【００４８】
以上説明した物品支持具２、３のいずれにおいても、一対の半割り部材は連結部におけるボルト通し孔やネジ孔の数や位置の点で異なっているが、一対の半割り部材として、全く同じものを採用し、そのうち一方を上下逆向きにして他方のものと組み合わせ使用してもよい。例えば、物品支持具２についてみれば、図５に示す半割り部材２１を２個用意し、そのうちいずれか一方を上下逆向きにして用い、両半割り部材の相互連結はボルト通し孔２１２ａを利用してボルトナットで連結してもよい。なお、この場合、ネジ２１２ｂはなくてもよい。或いはネジ２１２ｂもボルト通し孔２１２ａにしてもよい。物品支持具３についても同様のことが言える。
【００４９】
また、前記物品支持具２、３は柱部材１の縦溝１１１を利用して柱部材１に取り付けるようにしたが、軽量物品を支持できれば足りる等の理由で突出量の短い爪部を用いるようなときには、柱部材１の浅い縦溝１１１’を利用することもできる。このように、サイズ及び（又は）形状の異なる爪部を有する各種物品支持具に対応できるように柱部材にはサイズ及び（又は）形状の異なる複数種類の溝をそれぞれ複数本ずつ設けておいてもよい。
【産業上の利用可能性】
【００５０】
本発明に係る物品支持装置等は、建築物の天井側部材と床側部材との間の空間において各種物品を支持することに適用できる。例えば、店舗における販売品の展示用の棚等の設置、一般家庭の室内における棚、衣服ハンガーロッドの設置、建築物ベランダにおける日除けの設置等、様々に利用できる。
【図面の簡単な説明】
【００５１】
【図１】本発明に係る物品支持装置の１例の側面図である。
【図２】柱部材の伸縮部の断面図である。
【図３】柱部材に物品支持具の１例が連結固定されている様子を示す平面図である。
【図４】柱部材に物品支持具の他の例が連結固定されている様子を示す平面図である。
【図５】図３に示す物品支持具における一方の半割り部材を示すもので、図５（Ａ）は同部材の片方の側面図（図５（Ｂ）において部材を上側から見た図）、図５（Ｂ）は同部材の平面図、図５（Ｃ）は同部材の反対側の側面図（図５（Ｂ）において部材を下側から見た図）である。
【図６】図３に示す物品支持具における他方の半割り部材を示すもので、図６（Ａ）は同部材の片方の側面図（図６（Ｂ）において部材を下側から見た図）、図６（Ｂ）は同部材の平面図、図６（Ｃ）は同部材の反対側の側面図（図６（Ｂ）において部材を上側から見た図）である。
【図７】図４に示す物品支持具における一方の半割り部材を示すもので、図７（Ａ）は同部材の片方の側面図（図７（Ｂ）において部材を上側から見た図）、図７（Ｂ）は同部材の平面図、図７（Ｃ）は同部材の反対側の側面図（図７（Ｂ）において部材を下側から見た図）である。
【図８】図４に示す物品支持具における他方の半割り部材を示すもので、図８（Ａ）は同部材の片方の側面図（図８（Ｂ）において部材を下側から見た図）、図８（Ｂ）は同部材の平面図、図８（Ｃ）は同部材の反対側の側面図（図８（Ｂ）において部材を上側から見た図）である。
【符号の説明】
【００５２】
１  柱部材
１１  柱本体
１１１、１１１’  縦溝
１２  伸縮部
１２１  閉塞部材
１２０  雌ネジ
１２２  外筒部材
１２３  内筒部材
１２４  座部材
１２５  軸棒
１２６  ボルト
１２７  バネ
Ｈ  ボルトハンドル
２、３  物品支持具
２１、２２、３１、３２  半割り部材
２１１、２１１’  突条爪部
２１２  連結部
２１２ａ  ボルト通し孔
２１２ｂ  ネジ孔
２１２ｃ  連結部内面
２１３  物品支持部
２１４、２１４’断面略Ｔ字形状溝
４１、４２  棚部材
Ｗ１、Ｗ２  物品
【図１】
2005110819.tif 000003
【図２】
2005110819.tif 000004
【図３】
2005110819.tif 000005
【図４】
2005110819.tif 000006
【図５】
2005110819.tif 000007
【図６】
2005110819.tif 000008
【図７】
2005110819.tif 000009
【図８】
2005110819.tif 000010